(57)【要約】【課題】  ドレン処理が不要で使い勝手が良く、しかもユーザーの快適性を向上できる空気調和装置を提供する。【解決手段】  空気調和装置には、冷媒回路と吸着ロータとコントローラとを設ける。吸着ロータで除湿された空気は、冷媒回路の蒸発器で冷媒と熱交換する。吸着ロータは、冷媒回路の凝縮器で加熱された空気によって再生される。コントローラの人体状態推定部（51）には、生理量センサ（46）の検出値が入力される。人体状態推定部（51）は、入力された値に基づいてユーザーの温冷感と快適感を推定する。コントローラの運転制御部（52）は、人体状態推定部（51）で得られた推定値に基づき、吹き出し空気の温度と風速を設定する。その際、運転制御部（52）は、蒸発器を通過する空気が露点温度よりも高温に保持されるように、空気の温度と風速を決定する。【選択図】  図４
2005127639.tif 000002
【特許請求の範囲】
【請求項１】
冷媒回路（30）で冷媒を循環させて冷凍サイクルを行い、上記冷媒回路（30）の蒸発器又は凝縮器を通過した空気をユーザーへ供給する空気調和装置であって、
ユーザーの人体状態を推定する人体状態推定手段（51）と、
上記蒸発器を通過中の空気が該空気の露点温度よりも高温になるという条件の下で、上記人体状態推定手段（51）の推定値が所定の目標値となるようにユーザーへ供給される空気の温度及び風速を調節する運転制御手段（52）と
を備えている空気調和装置。
【請求項２】
請求項１に記載の空気調和装置において、
少なくとも室温を室内環境の状態を示す値として検出する室内状態検出手段（41,42）が設けられ、
人体状態推定手段（51）は、上記室内状態検出手段（41,42）の検出値を用いてユーザーの人体状態を推定するように構成されている空気調和装置。
【請求項３】
請求項１に記載の空気調和装置において、
ユーザーの生理情報を検出する生理情報検出手段（46）が設けられ、
人体状態推定手段（51）は、上記生理情報検出手段（46）の検出値を用いてユーザーの人体状態を推定するように構成されている空気調和装置。
【請求項４】
請求項１，２又は３に記載の空気調和装置において、
人体状態推定手段（51）は、少なくともユーザーの温冷感を人体状態として推定するように構成され、
運転制御手段（52）は、上記人体状態推定手段（51）が推定した温冷感の推定値が所定の目標値となるようにユーザーへ供給される空気の温度及び風速を調節している空気調和装置。
【請求項５】
請求項４に記載の空気調和装置において、
運転制御手段（52）は、同一の温冷感が得られる条件を空気の温度と風速の関数で表した等温冷感曲線を複数記憶しており、人体状態推定手段（51）から入力された温冷感の推定値に応じて上記複数の等温冷感曲線のうちの１つを選択し、選択した等温冷感曲線上の点として示される空気の温度及び風速を目標値としてユーザーへ供給される空気の温度及び風速を調節するように構成されている空気調和装置。
【請求項６】
請求項１に記載の空気調和装置において、
凝縮器になる第１熱交換器（32）と蒸発器になる第２熱交換器（34）とが冷媒回路（30）に設けられる一方、
上記第１熱交換器（32）を通過した第１空気により再生されて上記第２熱交換器（34）へ向かう第２空気から水分を吸着する吸着素子（40）を備えている空気調和装置。
【請求項７】
請求項１に記載の空気調和装置において、
第１熱交換器（32）と第２熱交換器（34）とが冷媒回路（30）に設けられ、
上記第１熱交換器（32）及び第２熱交換器（34）の表面には吸着剤が設けられる一方、
上記第１熱交換器（32）が凝縮器となって第１空気の加熱と加湿を行うと同時に第２熱交換器（34）が蒸発器となって第２空気の冷却と除湿を行う動作と、上記第２熱交換器（34）が凝縮器となって第１空気の加熱と加湿を行うと同時に第１熱交換器（32）が蒸発器となって第２空気の冷却と除湿を行う動作とを交互に繰り返すように構成されている空気調和装置。
【発明の詳細な説明】
【技術分野】
【０００１】
本発明は、ユーザーの人体状態に対応した運転制御を行う空気調和装置に関する。
【背景技術】
【０００２】
従来より、ユーザーの人体状態を検出し、得られた情報を運転制御に利用して快適性等の向上を図った空気調和装置が知られている。例えば、特許文献１には、予め入力されたユーザーの個人情報と、その時点でのユーザーの快適度等とを考慮して吹き出し条件を設定し、ユーザー毎に最適な吹き出し風速等を設定するものが開示されている。また、特許文献２には、検出した心拍からストレス度等の人体状態に関する情報を取得し、その情報を用いて吹き出し空気の温度や風速、風向などを設定するものが開示されている。
【特許文献１】特開平６−３２３６００号公報
【特許文献２】特開２００２−８９９２７号公報
【発明の開示】
【発明が解決しようとする課題】
【０００３】
上述した従来の空気調和装置によれば、ユーザーが感じている快適度などを運転制御に反映できるため、ユーザーの快適性向上を図ることが可能となる。しかしながら、この種の従来の空気調和装置において、ドレン水の生成を防止する点について考慮したものは知られていなかった。つまり、蒸発器において空気中の水分が凝縮するのを抑制できればドレン水を排出するための構成を省略して空気調和装置の使い勝手を向上させることができるが、このようなドレン水の生成防止とユーザーの人体状態を反映した運転制御とを両立させたものは存在しなかった。
【０００４】
本発明は、かかる点に鑑みてなされたものであり、その目的とするところは、ドレン処理が不要で使い勝手が良く、しかもユーザーの快適性を向上させ得る空気調和装置を提供するすることにある。
【課題を解決するための手段】
【０００５】
第１の発明は、冷媒回路（30）で冷媒を循環させて冷凍サイクルを行い、上記冷媒回路（30）の蒸発器又は凝縮器を通過した空気をユーザーへ供給する空気調和装置を対象としている。そして、ユーザーの人体状態を推定する人体状態推定手段（51）と、上記蒸発器を通過中の空気が該空気の露点温度よりも高温になるという条件の下で、上記人体状態推定手段（51）の推定値が所定の目標値となるようにユーザーへ供給される空気の温度及び風速を調節する運転制御手段（52）とを備えるものである。
【０００６】
第２の発明は、上記第１の発明において、少なくとも室温を室内環境の状態を示す値として検出する室内状態検出手段（41,42）が設けられ、人体状態推定手段（51）は、上記室内状態検出手段（41,42）の検出値を用いてユーザーの人体状態を推定するように構成されるものである。
【０００７】
第３の発明は、上記第１の発明において、ユーザーの生理情報を検出する生理情報検出手段（46）が設けられ、人体状態推定手段（51）は、上記生理情報検出手段（46）の検出値を用いてユーザーの人体状態を推定するように構成されるものである。
【０００８】
第４の発明は、上記第１，第２又は第３の発明において、人体状態推定手段（51）は、少なくともユーザーの温冷感を人体状態として推定するように構成され、運転制御手段（52）は、上記人体状態推定手段（51）が推定した温冷感の推定値が所定の目標値となるようにユーザーへ供給される空気の温度及び風速を調節しているものである。
【０００９】
第５の発明は、上記第４の発明において、運転制御手段（52）は、同一の温冷感が得られる条件を空気の温度と風速の関数で表した等温冷感曲線を複数記憶しており、人体状態推定手段（51）から入力された温冷感の推定値に応じて上記複数の等温冷感曲線のうちの１つを選択し、選択した等温冷感曲線上の点として示される空気の温度及び風速を目標値としてユーザーへ供給される空気の温度及び風速を調節するように構成されるものである。
【００１０】
第６の発明は、上記第１の発明において、凝縮器になる第１熱交換器（32）と蒸発器になる第２熱交換器（34）とが冷媒回路（30）に設けられる一方、上記第１熱交換器（32）を通過した第１空気により再生されて上記第２熱交換器（34）へ向かう第２空気から水分を吸着する吸着素子（40）を備えるものである。
【００１１】
第７の発明は、上記第１の発明において、第１熱交換器（32）と第２熱交換器（34）とが冷媒回路（30）に設けられ、上記第１熱交換器（32）及び第２熱交換器（34）の表面には吸着剤が設けられる一方、上記第１熱交換器（32）が凝縮器となって第１空気の加熱と加湿を行うと同時に第２熱交換器（34）が蒸発器となって第２空気の冷却と除湿を行う動作と、上記第２熱交換器（34）が凝縮器となって第１空気の加熱と加湿を行うと同時に第１熱交換器（32）が蒸発器となって第２空気の冷却と除湿を行う動作とを交互に繰り返すように構成されるものである。
【００１２】
−作用−
上記第１の発明において、空気調和装置では、冷媒回路（30）で冷媒を循環させて冷凍サイクルが行われる。蒸発器を通過して冷却された空気をユーザーへ供給すれば冷房運転となり、凝縮器を通過して加熱された空気をユーザーへ供給すれば暖房運転となる。
【００１３】
この発明の空気調和装置には、人体状態推定手段（51）と運転制御手段（52）とが設けられる。人体状態推定手段（51）は、空気調和装置のユーザーの人体状態を推定する。尚、ユーザーの人体状態とは、ユーザーにおいて生じている感覚を示すものであって、例えば温冷感、快適感、覚醒度などである。運転制御手段（52）は、人体状態推定手段（51）で得られた人体状態に関する推定値を考慮し、ユーザーへ供給される空気の温度と風速を調節する。その際、運転制御手段（52）は、蒸発器を通過する空気が露点温度よりも高温になるという制限の下で、吹き出し空気の温度や風速の設定値を定める。
【００１４】
上記第２の発明では、室内状態検出手段（41,42）が空気調和装置に設けられる。この室内状態検出手段（41,42）は、室内環境の状態を示す値として少なくとも室温を検出する。尚、室内状態検出手段（41,42）は、室温の他に例えば室内空気の相対湿度などを検出するものであってもよい。室内状態検出手段（41,42）で得られた検出値は、人体状態推定手段（51）へ入力される。人体状態推定手段（51）は、室内状態検出手段（41,42）から入力された検出値を利用してユーザーの人体状態を推定する。
【００１５】
上記第３の発明では、生理情報検出手段（46）が空気調和装置に設けられる。生理情報検出手段（46）は、ユーザーの生理情報を検出している。尚、ユーザーの生理情報は、ユーザーの生理状態を示す情報であって、例えば皮膚温、直調温、心拍、脈波などである。生理情報検出手段（46）で得られた検出値は、人体状態推定手段（51）へ入力される。人体状態推定手段（51）は、生理情報検出手段（46）から入力された検出値を利用してユーザーの人体状態を推定する。
【００１６】
上記第４の発明では、ユーザーの温冷感が人体状態推定手段（51）によって推定される。運転制御手段（52）は、人体状態推定手段（51）で得られた温冷感の推定値と温冷感の目標値とを考慮し、ユーザーへ供給される空気の温度と風速とを調節する。
【００１７】
上記第５の発明では、複数の等温冷感曲線が運転制御手段（52）に記録される。この運転制御手段（52）は、人体状態推定手段（51）で得られた温冷感の推定値に応じて１つの等温冷感曲線を選択し、選択した等温冷感曲線に基づいてユーザーへ供給される空気の温度及び風速を調節する。つまり、選択した等温冷感曲線上の点として表される空気の温度と風速の値を目標値とし、ユーザーへ供給される空気の温度及び風速が目標値となるように、それらの調節を行う。
【００１８】
上記第６の発明において、冷媒回路（30）では、第１熱交換器（32）が凝縮器となり、第２熱交換器（34）が蒸発器となって冷凍サイクルが行われる。第１空気は、第１熱交換器（32）で加熱されてから吸着素子（40）を通過する。第１空気により加熱された吸着素子（40）からは、水分が脱離する。一方、第２空気は、吸着素子（40）で水分を奪われてから第２熱交換器（34）で冷媒と熱交換する。つまり、第２熱交換器（34）では、吸着素子（40）で除湿されて露点温度の低下した第２空気が冷媒と熱交換する。
【００１９】
上記第７の発明では、第１熱交換器（32）及び第２熱交換器（34）の表面に吸着剤が設けられる。冷媒回路（30）では、第１熱交換器（32）が凝縮器となって第２熱交換器（34）が蒸発器となる動作と、第１熱交換器（32）が蒸発器となって第２熱交換器（34）が凝縮器となる動作とが交互に繰り返される。第１熱交換器（32）及び第２熱交換器（34）のうち、凝縮器となっている方では吸着剤から水分が脱離して第１空気に付与され、蒸発器となっている方では吸着剤に第２空気中の水分が吸着される。つまり、蒸発器となっている第１熱交換器（32）又は第２熱交換器（34）では、第２空気が除湿されてその露点温度が低下してゆく。
【発明の効果】
【００２０】
本発明において、運転制御手段（52）は、ユーザーへ供給される空気の温度や風速を調節する際に、ユーザーの人体状態だけを考慮して行うのではなく、蒸発器を通過する空気がその露点温度よりも高温になるという条件の下でそれらの調節を行っている。そして、蒸発器を通過中の空気が露点温度よりも高温に保たれれば、蒸発器での結露が防止されてドレン水の生成を防止できる。従って、本発明によれば、ユーザーの人体情報を利用して高い快適性をユーザーに提供できると同時に、ドレン処理を不要として空気調和装置の使い勝手を向上させることができる。
【００２１】
上記第２の発明では、室内状態検出手段（41,42）で得られた検出値を用いて人体状態推定手段（51）がユーザーの人体状態を推定している。従って、この発明によれば、人体からの情報を直接得るためのセンサー等を用いずに人体状態の推定値を得ることができ、空気調和装置の複雑化を回避しながら人体状態を反映させた運転制御が可能となる。
【００２２】
上記第３の発明によれば、生理情報検出手段（46）で得られた検出値を用いて人体状態推定手段（51）がユーザーの人体状態を推定している。つまり、人体状態推定手段（51）では、ユーザー自身から直接得られた情報を用いた人体情報の推定が可能となる。従って、この発明によれば、ユーザーに関する人体情報の推定値の精度を向上させることができ、ユーザーの快適性を確実に向上させることができる。
【００２３】
上記第４の発明では、ユーザーが感じている温冷感を推定し、その推定値に基づいてユーザーへ供給される空気の温度と風速とを調節している。従って、この発明によれば、ユーザーの温冷感に応じた運転制御が可能となり、ユーザーの快適性を確実に向上させることができる。
【００２４】
上記第５の発明では、人体状態推定手段（51）で得られた温冷感の推定値に応じて複数の等温冷感曲線の中から１つを選択し、選択した等温冷感曲線に基づいてユーザーへ供給される空気の温度及び風速を調節している。従って、この発明によれば、ユーザーへ供給される空気の温度及び風速を適切な値に設定でき、ユーザーの快適性を確保することができる。
【００２５】
上記第６の発明では、第２空気を先ず吸着素子（40）で除湿してその露点温度を低下させ、露点温度が低下した第２空気を第２熱交換器（34）で冷媒と熱交換させている。従って、蒸発器となる第２熱交換器（34）でドレン水を生成させることなく第２空気の温度を充分に低下させることができ、空気調和装置の能力を充分に発揮させることができる。
【００２６】
上記第７の発明において、第１熱交換器（32）及び第２熱交換器（34）のうち蒸発器となっている方では、第２空気中の水分が吸着剤に吸着されて該第２空気の露点温度が低下する。従って、蒸発器となる第１熱交換器（32）又は第２熱交換器（34）でドレン水を生成させることなく第２空気の温度を充分に低下させることができ、空気調和装置の能力を充分に発揮させることができる。
【発明を実施するための最良の形態】
【００２７】
以下、本発明の実施形態を図面に基づいて詳細に説明する。
【００２８】
《発明の実施形態１》
図１に示すように、本実施形態の空気調和装置は、そのケーシング（1）が縦長の直方体状に形成され、室内空間における作業台（10）の後方に設置されている。ケーシング（1）の高さは、作業台（10）の高さと等しくなっている。ケーシング（1）の上部には、上下方向に伸びる仕切板（11）が接続されている。仕切板（11）は中空に形成され、その内部空間がケーシング（1）の内部と連通している。仕切板（11）は、空気を流通させるダクトとして機能すると共に、いわゆるパーティションとしての役割も果たしている。
【００２９】
上記仕切板（11）は、その内部が２つの通路に区画されている。仕切板（11）の上部前面には、第１吹出口（12）が設けられている。この第１吹出口（12）は、仕切板（11）の内部に設けられる一方の通路と連通している。第１吹出口（12）から供給される空気は、作業台（10）に向かって作業するユーザーの近傍（ここでは、図１における左方向）へ局所的に吹き出すようになっている。仕切板（11）の上端には、第２吹出口（13）が設けられている。この第２吹出口（13）は、仕切板（11）の内部に設けられる他方の通路と連通している。第２吹出口（13）から供給される空気は、作業台（10）に向かって作業するユーザーから遠ざかる方向、即ちユーザーの存在しない方向（ここでは、上方向）へ向けて吹き出すようになっている。
【００３０】
図２及び図３に示すように、空気調和装置には、冷媒回路（30）と、吸着素子である吸着ロータ（40）と、コントローラ（50）とが設けられている。
【００３１】
上記ケーシング（1）の内部には、第１通路（21）と第２通路（22）とが区画形成されている。第１通路（21）は、第２吹出口（13）と連通するとともに、その入口端が室内と連通している。第２通路（22）は、第１吹出口（12）と連通するとともに、その入口端が室内と連通している。また、第１通路（21）には第１ファン（26）が、第２通路（22）には第２ファン（27）がそれぞれ設けられている。第１ファン（26）を運転すると室内空気が第１空気として第１通路（21）へ取り込まれ、第２ファン（27）を運転すると室内空気が第２空気として第２通路（22）へ取り込まれる。
【００３２】
上記吸着ロータ（40）は、円板状に形成されると共にハニカム状に形成されて、厚さ方向に空気が通過可能となっている。吸着ロータ（40）の表面には、例えばゼオライト等が吸着剤として塗布されている。吸着ロータ（40）は、第１通路（21）及び第２通路（22）を横断する姿勢で設けられている。吸着ロータ（40）のうち、第１通路（21）を横断する部分では吸着剤が第１空気と接触し、第２通路（22）を横断する部分では吸着剤が第２空気と接触する。また、吸着ロータ（40）は、図示しないモータにより駆動され、その中心軸周りに回転する。
【００３３】
上記冷媒回路（30）は、圧縮機（31）と第１熱交換器（32）と膨張弁（33）と第２熱交換器（34）とが順に接続されて冷凍サイクルを行うように構成されている。この冷媒回路（30）において、第１熱交換器（32）が凝縮器として機能し、第２熱交換器（34）が蒸発器として機能する。
【００３４】
第１熱交換器（32）は第１通路（21）に、第２熱交換器（34）は第２通路（22）にそれぞれ設置されている。第１通路（21）において、第１熱交換器（32）は、吸着ロータ（40）の上流側で且つ第１ファン（26）の下流側に配置されている。第２通路（22）において、第２熱交換器（34）は、吸着ロータ（40）の下流側に配置されている。また、第２通路（22）では、第２ファン（27）が吸着ロータ（40）の上流側に配置されている。
【００３５】
上記空気調和装置には、各種のセンサが設けられている。第１通路（21）における第１ファン（26）の上流側には、室内空気の温度を検出する第１温度センサ（41）と、室内空気の相対湿度を検出する第１湿度センサ（42）とが設置されている。第１温度センサ（41）及び第１湿度センサ（42）は、室内環境の状態を検出する室内状態検出手段を構成している。第２通路（22）における吸着ロータ（40）と第２熱交換器（34）の間には、吸着ロータ（40）を通過した空気の温度を検出する第２温度センサ（43）と、その空気の相対湿度を検出する第２湿度センサ（44）とが設置されている。第２熱交換器（34）には、その表面温度を検出する熱交換器温度センサ（45）が設置されている。
【００３６】
上記空気調和装置には、生理情報検出手段として生理量センサ（46）が設けられている。生理量センサ（46）は、生理量のうち皮膚温と心拍とを検出するように構成されている。また、生理量センサ（46）は、例えばユーザーが身につける衣服や靴、あるいはユーザーの体に触れる椅子やパソコンのマウスなどに取り付けられる。
【００３７】
図４に示すように、上記コントローラ（50）には、人体状態推定手段である人体状態推定部（51）と、運転制御手段である運転制御部（52）とが設けられている。
【００３８】
上記人体状態推定部（51）には、生理量センサ（46）で得られた検出値が入力される。そして、人体状態推定部（51）は、生理量センサ（46）の検出値に基づき、ユーザーの人体状態としてユーザーが感じている温冷感と快適感とを推定するように構成されている。
【００３９】
上記運転制御部（52）には、人体状態推定部（51）で得られた温冷感及び快適感の推定値と、第１温度センサ（41）及び第１湿度センサ（42）の各検出値とが入力されている。運転制御部（52）は、これらの推定値と検出値とを用い、第１吹出口（12）からユーザーの近傍へ吹き出される空気の温度と風速とを調節する。その際、運転制御部（52）は、所定の条件の下で吹き出し空気の温度及び風速を調節する。
【００４０】
具体的に、運転制御部（52）には、第２温度センサ（43）、第２湿度センサ（44）、及び熱交換器温度センサ（45）の各検出値が入力されている。そして、運転制御部（52）は、第２温度センサ（43）及び第２湿度センサ（44）の各検出値を用いて第２熱交換器（34）へ流入する第２空気の露点温度を算出し、熱交換器温度センサ（45）の検出値が算出した第２空気の露点温度よりも高くなるという条件の下で、空気の温度と風速とを調節する。
【００４１】
−運転動作−
上記空気調和装置の運転動作について、図２及び図３を参照しながら説明する。
【００４２】
圧縮機（31）を運転すると、冷媒回路（30）内で冷媒が循環する。そして、冷媒回路（30）では、第１熱交換器（32）が凝縮器となり、第２熱交換器（34）が蒸発器となって冷凍サイクルが行われる。
【００４３】
ケーシング（1）内の第１通路（21）へは、室内空気が第１空気として取り込まれる。第１通路（21）へ取り込まれた第１空気は、第１熱交換器（32）へ送られる。第１熱交換器（32）では、第１空気と冷媒の間で熱交換が行われ、第１空気が加熱される。加熱された第１空気は、吸着ロータ（40）へ送られる。吸着ロータ（40）では、第１空気との接触によって吸着剤が加熱され、加熱された吸着剤から水分が脱離する。吸着剤から脱離した水分は、第１空気に付与される。第１通路（21）を横断する間に再生された吸着ロータ（40）の部分は、吸着ロータ（40）の回転に伴って第２通路（22）へと移動してゆく。
【００４４】
ケーシング（1）内の第２通路（22）へは、室内空気が第２空気として取り込まれる。第２通路（22）へ取り込まれた第２空気は、吸着ロータ（40）へ送られる。吸着ロータ（40）では、第２空気中の水分が吸着剤に吸着され、第２空気が除湿される。除湿された第２空気は、第２熱交換器（34）へ送られる。一方、第２通路（22）を横断する間に水分を吸着した吸着ロータ（40）の部分は、吸着ロータ（40）の回転に伴って第１通路（21）へと移動してゆく。
【００４５】
第２熱交換器（34）では、第２空気と冷媒の間で熱交換が行われ、第２空気が冷却される。この第２熱交換器（34）における冷媒蒸発温度は、第２熱交換器（34）を通過中の第２空気の露点温度よりも高い値に設定される。従って、第２熱交換器（34）ではドレン水が発生しない。
【００４６】
上記空気調和装置では、第２通路（22）から流出した空気をユーザーの近傍へ供給する冷房動作と、第１通路（21）から流出した空気をユーザーの近傍へ供給する暖房動作とが切換可能となっている。
【００４７】
図２に示すように、冷房動作において、第１空気は、第１通路（21）から仕切板（11）内へ流入し、第２吹出口（13）から上方へ向けてへ吹き出される。一方、第２空気は、第２通路（22）から仕切板（11）内へ流入し、第１吹出口（12）からユーザーの近傍へ局所的に供給される。
【００４８】
図３に示すように、暖房動作において、第１空気は、第１通路（21）から仕切板（11）内へ流入し、第１吹出口（12）からユーザーの近傍へ局所的に供給される。一方、第２空気は、第２通路（22）から仕切板（11）内へ流入し、第２吹出口（13）から上方へ向けてへ吹き出される。
【００４９】
−コントローラ（50）の制御動作−
上記コントローラ（50）が行う制御動作について、図５を参照しながら説明する。
【００５０】
ステップST10において、人体状態推定部（51）は、ユーザーが感じている温冷感を推定する。上述のように、人体状態推定部（51）は、生理量センサ（46）から入力された検出値に基づいてユーザーの温冷感を推定する。ここで、温冷感を推定する場合には、生理量センサ（46）の検出値の他にユーザーの活動量や着衣量のデータが必要となる。これらのデータについては、予め平均的な値を想定して人体状態推定部（51）に記憶させておいてもよいし、センサによる実測値やユーザーの申告値を用いてもよい。
【００５１】
次のステップST11では、第１温度センサ（41）の検出値が環境温度として取り込まれる。次のステップST12では、温冷感の推定値がゼロかどうかを判断する。温冷感がゼロであればユーザーは暑くもなく寒くもない状態と判断できる。また、温冷感が正(＋)であればユーザーは暑いと感じていると判断でき、温冷感が負(−)であればユーザーは寒いと感じていると判断できる。温冷感の推定値がゼロであれば、その時点における吹き出し空気の温度及び風速を保持し、ステップST10へ戻る。一方、温冷感の推定値がゼロでなければ、ステップST13へ移る。このように、運転制御部（52）では、温冷感の目標値がゼロに設定されている。
【００５２】
運転制御部（52）には、複数の等温冷感曲線が記録されている。等温冷感曲線とは、同一の温冷感が得られる条件を空気の温度と風速の関数で表したものである。ステップST13において、運転制御部（52）は、記録された複数の等温冷感曲線の中から、温冷感の推定値に(−１)を乗じた温冷感が得られるものを選択する。例えば、温冷感の推定値が「＋２」であれば、ユーザーが暑いと感じていると判断されるため、ユーザーに冷感を与えるために「−２」の温冷感が得られる等温冷感曲線を選択する。また、温冷感の推定値が「−１」であれば、ユーザーが寒いと感じていると判断されるため、ユーザーに温感を与えるために「＋１」の温冷感が得られる等温冷感曲線を選択する。
【００５３】
次のステップST14では、ステップST13で選択された等温冷感曲線上の点のうち、ユーザーの快適感が最も高くなるような吹き出し空気の温度及び風速の値を選択する。吹き出し空気の温度及び風速の値を選択する際、運転制御部（52）は、人体状態推定部（51）から入力された快適感の推定値を考慮して行う。
【００５４】
次のステップST15では、ステップST14で選択された値を目標値とし、第１吹出口（12）から吹き出される空気の温度及び風速が目標値となるように、圧縮機（31）から吐出される冷媒の流量と、蒸発器になる第２熱交換器（34）での通過風速とを決定する。第２熱交換器（34）での通過風速は、ステップST14で選択された風速の値から算出される。圧縮機（31）の冷媒吐出量は、算出した第２熱交換器（34）での通過風速の下で第１吹出口（12）からの吹き出し温度が目標値となるような冷媒蒸発温度を推定し、第２熱交換器（34）での冷媒蒸発温度がこの推定値となるように決定される。
【００５５】
次のステップST16において、運転制御部（52）は、ステップST15で推定した冷媒蒸発温度の値を、第２温度センサ（43）及び第２湿度センサ（44）の検出値から導出した第２空気の露点温度と比較する。冷媒蒸発温度の推定値が第２空気の露点温度以下である場合には、第２熱交換器（34）を通過中の第２空気の温度がその露点温度以下となるおそれがあるため、ステップST17へ移る。逆に、冷媒蒸発温度の推定値が第２空気の露点温度を上回る場合には、第２熱交換器（34）を通過中の第２空気の温度はその露点温度よりも高温になるため、ステップST18へ移る。
【００５６】
ステップST17では、第１吹出口（12）から吹き出される空気の温度及び風速の目標値を再設定する。その際、運転制御部（52）は、第２熱交換器（34）を通過中の第２空気が露点温度よりも高温となるように、第１吹出口（12）から吹き出される空気の温度目標値を高めに設定する。具体的には、それまでの温度目標値に「０.２」を加算した値を新たな温度目標値とし、ステップST14で選択した等温冷感曲線上で新たな温度目標値に対応する風速の値を新たな風速目標値に設定する。そして、ステップST15へ戻り、空気の温度及び風速に関する新たな目標値を用い、圧縮機（31）の冷媒吐出流量と、第２熱交換器（34）での通過風速とを決定する。
【００５７】
一方、ステップST18では、圧縮機（31）の冷媒吐出量がステップST15で決定された値となるように、圧縮機（31）の回転速度と膨張弁（33）の開度とが決定される。その際、運転制御部（52）は、圧縮機（31）が最も高効率となる回転速度を選択し、その回転速度で圧縮機（31）を運転すると冷媒吐出流量がステップST15で決定した値となるように、膨張弁（33）の開度を決定する。そして、ステップST19では、圧縮機（31）の回転速度と膨張弁（33）の開度とが、それぞれステップST18で決定された値に設定される。
【００５８】
−実施形態１の効果−
本実施形態において、運転制御部（52）は、第１吹出口（12）から吹き出される空気の温度や風速を調節する際に、ユーザーの人体状態だけを考慮して行うのではなく、第２熱交換器（34）を通過する第２空気がその露点温度よりも高温になるという条件の下でそれらの調節を行っている。そして、第２熱交換器（34）を通過中の第２空気が露点温度よりも高温に保たれれば、第２熱交換器（34）での結露が防止されてドレン水の生成を防止できる。従って、本実施形態によれば、ユーザーの人体情報を利用して高い快適性をユーザーに提供できると同時に、ドレン処理を不要として空気調和装置の使い勝手を向上させることができる。
【００５９】
また、本実施形態では、第２空気を先ず吸着ロータ（40）で除湿してその露点温度を低下させ、露点温度の下がった第２空気を第２熱交換器（34）で冷媒と熱交換させている。従って、蒸発器となる第２熱交換器（34）でドレン水を生成させることなく第２空気の温度を充分に低下させることができ、空気調和装置の能力を充分に発揮させることができる。
【００６０】
−実施形態１の変形例−
本実施形態では、ユーザーの皮膚温と心拍を生理量センサ（46）で検出するようにしているが、生理量センサ（46）が検出するユーザーの生理量は、これらに限定されない。例えば、ユーザーの直腸温や脈波などを生理量センサ（46）で検出し、得られた検出値を人体状態推定部（51）へ入力するようにしてもよい。
【００６１】
また、本実施形態では、ユーザーの温冷感と快適感を人体状態推定部（51）で推定するようにしているが。人体状態推定部（51）で推定されるユーザーの人体状態は、これらに限定されない。例えば、ユーザーの覚醒度などを人体状態推定部（51）で推定し、得られた推定値を用いて運転制御部（52）が吹き出し空気の温度や風速を調節するようにしてもよい。
【００６２】
《発明の実施形態２》
本発明の実施形態２について説明する。本実施形態は、上記実施形態１の空気調和装置において、生理量センサ（46）を省略すると共に、人体状態推定部（51）の構成を変更したものである。ここでは、本実施形態について、上記実施形態１と異なる点を説明する。
【００６３】
図６に示すように、本実施形態の人体状態推定部（51）には、第１温度センサ（41）及び第１湿度センサ（42）の各検出値が入力されている。この人体状態推定部（51）は、第１温度センサ（41）が検出した室内空気の温度と、第１湿度センサ（42）が検出した室内空気の相対湿度とに基づき、ＰＭＶ(Predicted Mean Vote)や新有効温度(ET*)などの温熱環境評価指標を利用して、ユーザーの人体状態である温冷感と快適感を推定する。
【００６４】
一般に、温熱環境評価指標を利用して温冷感などを推定する際には、温度や湿度の他に、気流や放射、更には着衣量や活動量の値が必要となるが、これら温度及び湿度以外の値については、例えば平均的な値を予め設定しておき、その設定した値を用いて温冷感などを推定するようにしてもよい。また、本実施形態では室内空気の相対湿度を実測しているが、湿度の値についても実測値ではなく予め設定した値や温度から推測した値を用いてもよい。
【００６５】
《発明の実施形態３》
本発明の実施形態３について説明する。本実施形態は、上記実施形態１の空気調和装置の構成を変更したものである。ここでは、本実施形態について、上記実施形態１と異なる点を説明する。
【００６６】
図７に示すように、本実施形態の空気調和装置では、冷媒回路（30）に四路切換弁（37）が設けられている。四路切換弁（37）は、その第１ポートが圧縮機（31）の吐出側に、その第２ポートが第２熱交換器（34）に、その第３ポートが圧縮機（31）の吸入側に、その第４ポートが第１熱交換器（32）にそれぞれ接続されている。
【００６７】
四路切換弁（37）は、第１ポートが第４ポートと連通して第２ポートが第３ポートと連通する第１状態（図７に実線で示す状態）と、第１ポートが第２ポートと連通して第３ポートが第４ポートと連通する第２状態（図７に破線で示す状態）とに切り換わる。第１熱交換器（32）が凝縮器となり第２熱交換器（34）が蒸発器となる冷凍サイクルを行う場合は、四路切換弁（37）が第１状態に設定される。一方、第２熱交換器（34）が凝縮器となり第１熱交換器（32）が蒸発器となる冷凍サイクルを行う場合は、四路切換弁（37）が第２状態に設定される。
【００６８】
本実施形態において、第１熱交換器（32）及び第２熱交換器（34）では、それらの伝熱管やフィンの表面に吸着剤としてのゼオライトが担持されている。それに伴い、本実施形態の空気調和装置では、吸着ロータ（40）が省略されている。
【００６９】
−運転動作−
本実施形態の冷媒回路（30）では、第１熱交換器（32）が凝縮器となって第２熱交換器（34）が蒸発器となる動作と、第２熱交換器（34）が凝縮器となって第１熱交換器（32）が蒸発器となる動作とが、所定の時間間隔で交互に繰り返される。
【００７０】
先ず、四路切換弁（37）が第１状態に設定されると、第１熱交換器（32）が凝縮器となって第２熱交換器（34）が蒸発器となる。また、第１通路（21）には室内空気が第１空気として取り込まれ、第２通路（22）には室内空気が第２空気として取り込まれる。
【００７１】
第１熱交換器（32）に担持された吸着剤は、伝熱管内を流れる冷媒により加熱され、吸着剤から水分が脱離する。第１通路（21）を流れる第１空気は、第１熱交換器（32）を通過する間に冷媒によって加熱される。吸着剤から脱離した水分は、第１空気に付与される。一方、第２通路（22）へ取り込まれた第２空気は、第２熱交換器（34）において、それに含まれる水分が伝熱管やフィンに担持された吸着剤に吸着されて除湿される。その際に生じる吸着熱は、伝熱管内を流れる冷媒に吸熱される。また、第２熱交換器（34）を通過する第２空気から冷媒が吸熱する。
【００７２】
そして、冷房運転中であれば、第２通路（22）を通過した第２空気がユーザーの近傍へ供給され、第１通路（21）を通過した第１空気が上方へ吹き出される。また、暖房運転中であれば、第１通路（21）を通過した第１空気がユーザーの近傍へ供給され、第２通路（22）を通過した第２空気が上方へ吹き出される。
【００７３】
次に、四路切換弁（37）が第２状態に設定されると、冷媒回路（30）では第２熱交換器（34）が凝縮器となり第１熱交換器（32）が蒸発器となる冷凍サイクルが行われる。また、第１通路（21）には室内空気が第２空気として取り込まれ、第２通路（22）には室内空気が第１空気として取り込まれる。
【００７４】
第２熱交換器（34）に担持された吸着剤は、伝熱管内を流れる冷媒により加熱され、吸着剤から水分が脱離する。第２通路（22）を流れる第１空気は、第２熱交換器（34）において、伝熱管内を流れる冷媒により加熱される。吸着剤から脱離した水分は、第１空気に付与される。一方、第１通路（21）へ取り込まれた第２空気は、第１熱交換器（32）において、それに含まれる水分が伝熱管やフィンに担持された吸着剤に吸着されて除湿される。その際に生じる吸着熱は、伝熱管内を流れる冷媒に吸熱される。また、第１熱交換器（32）を通過する第２空気から冷媒が吸熱する。
【００７５】
そして、冷房運転中であれば、第１通路（21）を通過した第２空気がユーザーの近傍へ供給され、第２通路（22）を通過した第１空気が上方へ吹き出される。また、暖房運転中であれば、第２通路（22）を通過した第１空気がユーザーの近傍へ供給され、第１通路（21）を通過した第２空気が上方へ吹き出される。
【産業上の利用可能性】
【００７６】
以上説明したように、本発明は、空気調和装置について有用である。
【図面の簡単な説明】
【００７７】
【図１】実施形態１における空気調和装置の設置状態と全体構成を示す概略構成図である。
【図２】実施形態１における空気調和装置の構成と運転状態を示す概略構成図である。
【図３】実施形態１における空気調和装置の構成と運転状態を示す概略構成図である。
【図４】実施形態１におけるコントローラの構成を示すブロック図である。
【図５】実施形態１におけるコントローラの制御動作を示すフロー図である。
【図６】実施形態２におけるコントローラの構成を示すブロック図である。
【図７】実施形態３における空気調和装置の構成と運転状態を示す概略構成図である。
【符号の説明】
【００７８】
（30）  冷媒回路
（32）  第１熱交換器
（34）  第２熱交換器
（40）  吸着ロータ（吸着素子）
（41）  第１温度センサ（室内状態検出手段）
（42）  第１湿度センサ（室内状態検出手段）
（46）  生理情報検出部（生理情報検出手段）
（51）  人体状態推定部（人体状態推定手段）
（52）  運転制御部（運転制御手段）
【図１】
2005127639.tif 000003
【図２】
2005127639.tif 000004
【図３】
2005127639.tif 000005
【図４】
2005127639.tif 000006
【図５】
2005127639.tif 000007
【図６】
2005127639.tif 000008
【図７】
2005127639.tif 000009